(57)【要約】【課題】通常の引戸と同様に開口部Ａ１全体を開閉できるだけでなく、開口部Ａ１の下部をも独立して開閉できるようにする。【解決手段】引戸Ａは、下部の内部に空所からなる補助扉収納部１５が設けられた引戸本体１０と、この引戸本体１０の補助扉収納部１５内に収納され、補助扉収納部１５内に位置する収納位置、及び補助扉収納部１５内から退出した退出位置の間を引戸本体１０の移動方向と同じ方向に相対的にスライド移動可能な補助扉１８とを備える。【選択図】図５
2014152555.tif 000002
【特許請求の範囲】
【請求項１】
下部の内部又は側部に空所からなる補助扉収納部が設けられた引戸本体と、
上記引戸本体の補助扉収納部内に収納され、該補助扉収納部内に位置する収納位置と、補助扉収納部内から退出した退出位置との間を引戸本体の移動方向と同じ方向に相対的にスライド移動可能な補助扉とを備えたことを特徴とする補助扉内蔵引戸。
【請求項２】
請求項１において、
引戸本体は建具枠の上枠のレールに吊られた吊戸であり、
補助扉にはキャスターが設けられていることを特徴とする補助扉内蔵引戸。
【請求項３】
請求項１又は２において、
補助扉の戸先側木口面には出し入れ可能な引手が設けられていることを特徴とする補助扉内蔵引戸。
【請求項４】
請求項１〜３のいずれか１つにおいて、
補助扉と引戸本体とを一体的に連結する連結装置が設けられていることを特徴とする補助扉内蔵引戸。
【請求項５】
請求項４において、
連結装置は、引戸本体の戸先側木口面に設けられたフランス落としと、
補助扉の上面の戸先側又は戸尻側の少なくとも一方に設けられ、補助扉が収納位置又は退出位置の少なくとも一方に位置するときに上記フランス落としに係合するフランス落とし受けとからなることを特徴とする補助扉内蔵引戸。
【請求項６】
請求項１〜５のいずれか１つにおいて、
補助扉が退出位置にあるときに該補助扉を移動不能に建具枠の竪枠に係合する係合装置が設けられていることを特徴とする補助扉内蔵引戸。
【発明の詳細な説明】
【技術分野】
【０００１】
本発明は、下部に同じ方向に相対的にスライド移動して開口部の下部を開閉可能な補助扉が内蔵された補助扉内蔵引戸に関する。
【背景技術】
【０００２】
従来、例えば特許文献１に示されるように、幼児やペットが部屋の内部から勝手に出て行ったり特定の部屋に出入りしたりするのを防止するために、扉を開放した状態で設置されるベビーゲート（チャイルドガード）が知られている。
【０００３】
しかし、このベビーゲートは、建物の開口部に固定される後付方式のものであり、扉部分に設置したときには元からある既存の扉を閉じることができなくなるという問題がある。また、簡単に取り外せるように例えば突っ張り方式で固定される構造では、大きな力が加わった際に固定が外れてしまう可能性がある。さらには、後付けにより意匠性が悪いという問題もある。
【０００４】
一方、このような問題を解決するものとして、特許文献２に示されるように、上下で２分割された分割ドアが知られている。
【先行技術文献】
【特許文献】
【０００５】
【特許文献１】特開２００８−２０２３３７号公報
【特許文献２】特開２００５−３１４９５２号公報
【発明の概要】
【発明が解決しようとする課題】
【０００６】
上記特許文献２の分割ドアは、上扉部分と下扉部分とに分割されており、上扉部分を開いて下扉部分のみを閉じることで、ベビーゲートと同じ機能を得ることができ、上扉部及び下扉部分を一体にして同時に開閉することで、通常のドアと同様に扱うことができる。
【０００７】
しかし、上扉部分を閉じて下扉部分のみを開いた場合、その閉じた上扉部分が背の低い子供にとって邪魔になってぶつかる虞れがある。
【０００８】
また、上扉部分及び下扉部分をそれぞれ個別にドア枠に支持する蝶番が必要であるばかりか、その蝶番の僅かな取り付けの狂い等により上扉部分及び下扉部分が接触して閉じることができなくなったり、或いは閉じても上扉部分及び下扉部分間に隙間が生じたりするという問題が生じることがある。
【０００９】
本発明は斯かる諸点に鑑みてなされたものであり、その目的とするところは、引戸の構造に工夫を凝らすことで、通常の引戸と同様に開口部全体を開閉できるだけでなく、開口部の下部をも独立して開閉できるようにすることにある。
【課題を解決するための手段】
【００１０】
上記の目的を達成するために、この発明では、引戸の下部の内部又は側部に空所を設けて、その空所内に引戸と同じ方向に相対的にスライドする補助扉を収納するようにした。
【００１１】
具体的には、第１の発明の補助扉内蔵引戸は、下部の内部又は側部に空所からなる補助扉収納部が設けられた引戸本体と、この引戸本体の補助扉収納部内に収納され、その補助扉収納部内に位置する収納位置、及び補助扉収納部内から退出した退出位置の間を引戸本体の移動方向と同じ方向に相対的にスライド移動可能な補助扉とを備えたことを特徴とする。
【００１２】
この第１の発明では、補助扉は引戸本体の補助扉収納部内に収納された収納位置と、この補助扉収納部内から退出した退出位置との間をスライド移動可能であり、補助扉が収納位置に保持された状態で引戸本体をスライド移動させて開口部を開閉すると、その引戸本体の移動に追従して補助扉も引戸本体の移動方向と同じ方向にスライド移動する。このことで、引戸本体及び補助扉は通常の１枚の引戸にしか見えず、それと同様にスライドして開口部を開閉する。
【００１３】
引戸本体を開いた状態のまま、補助扉を引戸本体に対し相対的に収納位置から退出位置にスライド移動させると、この補助扉は引戸によって開閉される開口部の下部のみを閉じることとなり、ベビーゲート（チャイルドガード）と同じ機能を得ることができる。このとき、補助扉のみが開口部を覆い、引戸本体は開き位置に保持されるため、閉じた状態の最小限の補助扉のみしか露見せず、意匠性が良くなる。
【００１４】
このように補助扉内蔵引戸は、引戸本体及び補助扉の全体がスライドして開口部を開閉する態様と、補助扉のみがスライドして開口部の下部を開閉する態様との２つの態様しか取り得ず、引戸本体のみが閉じて補助扉が開く態様がないので、分割ドアの場合のように、不要な上扉部分が邪魔になるような態様は生じない。しかも、分割ドアのように蝶番によってドア枠に支持する必要がないので、開閉の不具合や隙間の発生等の生じる余地もない。
【００１５】
また、補助扉は引戸本体に形成した補助扉収納部内に収納されるので、その補助扉を引戸本体と同様に開口部の横壁内に収納する必要がなく、その横壁には引戸本体を収納する元々の戸袋さえあればよく、既存の壁構造を利用して施工することができる。
【００１６】
第２の発明は、第１の発明において、引戸本体は建具枠の上枠のレールに吊られた吊戸であり、補助扉にはキャスターが設けられていることを特徴とする。
【００１７】
この第２の発明では、引戸本体は建具枠の上枠のレールに吊られてスライド移動し、補助扉はキャスタによって床面上をスライド移動する。このことで、引戸本体及び補助扉の各下部を案内するためのレールを床面に設ける必要がなくなり、意匠性を向上させることができる。
【００１８】
第３の発明は、第１又は第２の発明において、補助扉の戸先側木口面には出し入れ可能な引手が設けられていることを特徴とする。
【００１９】
この第３の発明では、補助扉の戸先側木口面に設けられている引手は出し入れ可能であるので、補助扉が収納位置にあるときには、引手が木口面に没入して目立たず、補助扉のみを閉じるという必要なときのみに、その木口面の引手を突出させて引き操作することで、補助扉を収納位置から引き出して移動させることができ、補助扉の引戸本体との一体感が得られる。
【００２０】
第４の発明は、第１〜第３のいずれか１つの発明において、補助扉と引戸本体とを一体的に連結する連結装置が設けられていることを特徴とする。
【００２１】
この第４の発明では、連結装置により補助扉が引戸本体に一体的に連結される。例えば補助扉が引戸本体の補助扉収納部内に収納された収納位置にあるときに連結されると、その補助扉は収納位置のままで引戸本体に一体的に固定されるので、引戸本体を補助扉と共に一体的に開閉することができる。
【００２２】
また、補助扉が引戸本体の補助扉収納部内から退出した退出位置にあるときに連結されると、その補助扉は退出位置つまり開口部の下部を閉じたままで引戸本体に一体的に固定されるので、補助扉がベビーガードとして機能する状態を保持することができる。
【００２３】
第５の発明は、第４の発明において、連結装置は、引戸本体の戸先側木口面に設けられたフランス落としと、補助扉の上面の戸先側又は戸尻側の少なくとも一方に設けられ、補助扉が収納位置又は退出位置の少なくとも一方に位置するときに上記フランス落としに係合するフランス落とし受けとからなることを特徴とする。
【００２４】
この第５の発明では、引戸本体のフランス落としを補助扉上面のフランス落とし受けに係合させることにより、補助扉を引戸本体に一体的に固定することができる。補助扉が収納位置にあって、その補助扉上面の戸先側にあるフランス落とし受けにフランス落としを係合させたときには、その係合によって補助扉が収納位置のままで引戸本体に一体的に固定され、引戸本体を補助扉と共に一体的に開閉することができる。
【００２５】
補助扉が退出位置にあって、その補助扉上面の戸尻側にあるフランス落とし受けにフランス落としを係合させたときには、その係合によって補助扉が退出位置つまり開口部の下部を閉じたままで引戸本体に一体的に固定され、よって補助扉がベビーガードとして機能する状態を保持することができる。
【００２６】
第６の発明は、第１〜第５のいずれか１つの発明において、補助扉が退出位置にあるときに該補助扉を移動不能に建具枠の竪枠に係合する係合装置が設けられていることを特徴とする。
【００２７】
この第６の発明では、係合装置によって退出位置にある補助扉の戸先部を建具枠の竪枠に固定することができ、補助扉がベビーガードとして機能する状態を保持することができる。
【発明の効果】
【００２８】
以上説明したように、第１の発明の補助扉内蔵引戸によると、引戸本体の下部の内部又は側部に空所からなる収納部を設け、その収納部内に、収納位置と退出位置との間を引戸本体の移動方向と同じ方向に相対的にスライド移動可能な補助扉を収納したことにより、補助扉を収納位置に保持した状態で、引戸本体及び補助扉を通常の１枚の引戸と同様にスライドして開口部を開閉する一方、引戸本体を開いた状態で、補助扉を退出位置にスライド移動させて、この補助扉により開口部の下部のみを閉じることができ、ベビーゲート（チャイルドガード）と同じ機能を得ることができる。また、蝶番によってドア枠に支持される分割ドアの場合のように、不要な引戸本体が邪魔になることや、開閉の不具合、隙間の発生等が生じないとともに、既存の戸袋を利用して施工することができる。
【００２９】
第２の発明によると、引戸本体は吊戸とし、補助扉にキャスターを設けたことにより、引戸本体及び補助扉の各下部を案内するためのレールを床面に設ける必要がなく、意匠性の向上を図ることができる。
【００３０】
第３の発明によると、補助扉の戸先側木口面に出し入れ可能な引手を設けたことにより、補助扉が収納位置にあるときには、木口面に没入している引手を、補助扉のみを閉じるという必要なときのみに、木口面から突出させて引き操作すればよく、補助扉の引戸本体との一体感が得られる。
【００３１】
第４及び第５の発明によれば、補助扉と引戸本体とを一体的に連結する連結装置を設けたことにより、補助扉を引戸本体に一体的に固定することができ、補助扉が収納位置にあるときには、連結装置によって引戸本体を補助扉と共に一体的に開閉することができるとともに、補助扉が退出位置にあるときには、連結装置により補助扉を、開口部の下部を閉じたままで引戸本体に一体的に固定して補助扉がベビーガードとして機能する状態を保持することができる。
【００３２】
第６の発明によると、退出位置にある補助扉を移動不能に建具枠の竪枠に係合する係合装置を設けたことにより、補助扉がベビーガードとして機能する状態を保持することができる。
【図面の簡単な説明】
【００３３】
【図１】図１は、本発明の実施形態１に係る補助扉内蔵引戸における引戸本体及び補助扉を示す斜視図である。
【図２】図２は、補助扉内蔵引戸の側面図である。
【図３】図３は、閉めた状態の補助扉内蔵引戸を示す正面図である。
【図４】図４は、閉めた状態の補助扉内蔵引戸を示す平面図である。
【図５】図５は、補助扉のみを閉めた状態の補助扉内蔵引戸を示す図３相当図である。
【図６】図６は、補助扉のみを閉めた状態の補助扉内蔵引戸を示す図４相当図である。
【図７】図７は、引戸本体から引き出された補助扉の戸先部分を示す斜視図である。
【図８】図８（ａ）はフランス落としの正面図、図８（ｂ）はフランス落としの側面図、図８（ｃ）はフランス落とし受けの平面図である。
【図９】図９（ａ）は鎌錠における鎌錠本体の斜視図、図９（ｂ）は受け座の斜視図である。
【図１０】図１０（ａ）は、実施形態２に係る補助扉内蔵引戸において補助扉を引戸本体の補助扉収納部内に収納した状態を示す斜視図、図１０（ｂ）は、補助扉を補助扉収納部内から退出させた状態を示す斜視図である。
【発明を実施するための形態】
【００３４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３５】
（実施形態１）
図１〜図６は本発明の実施形態１に係る補助扉内蔵引戸Ａを示し、この引戸Ａは、例えば子供部屋等の第１部屋Ｒ１と、この第１部屋Ｒ１に隣接する第２部屋Ｒ２（リビングやキッチン等）との境界の開口部Ａ１に該開口部Ａ１を開閉するために施工される。すなわち、図３〜図６において、１，１は第１及び第２部屋Ｒ１，Ｒ２の境界部分の左右両側に立設された、建具枠の竪枠をなす柱で、これら両柱１，１の上端部間には上枠（図示せず）が掛け渡されている。柱１，１間の左半部には第１部屋Ｒ１側である裏側に壁２が、また第２部屋Ｒ２側である表側に壁３がそれぞれ互いに対向するように施工され、この両壁２，３と右側の柱１との間に上記開口部Ａ１が形成されており、壁２，３は開口部Ａ１の横壁となっている。そして、壁２，３間には戸袋４が形成され、この戸袋４に上記開口部Ａ１を開閉する補助扉内蔵引戸Ａが収容されている。
【００３６】
補助扉内蔵引戸Ａは引戸本体１０と補助扉１８とを備えている。引戸本体１０は、基本的に通常一般の引戸と同様のものであり、下部の構造のみが異なっている。
【００３７】
具体的には、引戸本体１０は建具枠の上枠に吊られた吊戸であり、一般の吊戸と同様に、上枠下面にはハンガーレール（図示せず）が埋め込まれて取付固定されている一方、引戸本体１０の上部にはハンガーレール内を転動する吊り車としてのローラ（図示せず）が取り付けられており、引戸本体１０は上枠のハンガーレールにローラの転動によってスライド移動可能に吊り下げ支持されている。また、引戸本体１０の略上半部には、窓ガラス１１が嵌め込まれた窓部１２が形成されている。引戸本体１０の戸先側表裏面には引手１３，１３（表側のみ図示する）が取り付けられている。
【００３８】
そして、上記引戸本体１０において窓部１２を除いた部分である下部の内部には空所からなる補助扉収納部１５が設けられている。この補助扉収納部１５は、引戸本体１０の厚さ方向（表裏方向）の中間部を引戸本体１０の右側下部の隅角部から内奥側（左上側）に向かって表裏壁部を残して矩形状に切り欠くことで、その表裏壁部間に形成されかつ戸先側（右側の柱１側）及び下側に開放された断面矩形状の空間からなる。そして、この補助扉収納部１５内に上記補助扉１８が収納されている。
【００３９】
上記補助扉１８は、左右方向の長さが補助扉収納部１５の左右長さよりも少し小さくて、上下方向の高さも補助扉収納部１５の上下高さよりも小さく、厚さが補助扉収納部１５の前後幅よりも薄い矩形板状のもので、その下面の戸先部及び戸尻部の２箇所にはそれぞれキャスター１９，１９が取り付けられており、このキャスター１９，１９を床面上で転動させることにより、補助扉１８が補助扉収納部１５内に位置する図３及び図４に示す収納位置と、この補助扉収納部１５内から退出した図５及び図６に示す退出位置との間を引戸本体１０の移動方向と同じ左右方向に相対的にスライド移動可能となっている。尚、例えば補助扉収納部１５内の上面と補助扉１８の上面との間にガイドレール等の案内装置を設けてもよく、補助扉１８のスライド移動がさらにスムーズに行われる。
【００４０】
図７に示すように、上記補助扉１８の戸先側木口面において、その上端部寄りの高さ位置には、出し入れ可能な引手２４を有する引手装置２１が設けられている。この引手装置２１は、補助扉１８が収納位置にあるときに補助扉１８を収納位置から引き出して退出位置に移動させるためのもので、補助扉１８の木口面に埋め込まれて固定された矩形板状の引手本体２２を備え、この引手本体２２の表面には上下方向に延びる凹溝２３が形成され、この凹溝２３の内部には凹溝２３と同じ形状の引手２４が収容されている。この引手２４は引手本体２２に対し、凹溝２３内の上部寄りに配置した水平方向（補助扉１８の表裏方向）に延びる軸部（図示せず）を介して回動可能に支持されてており、この引手２４を回動させたときに、その下端部が木口面から離隔しながら上方向に、また上端部が木口面内に没入しながら下方向にそれぞれ移動する。引手２４の下端部（回動端部）には補助扉１８の内奥部側に延びる指フック部２４ａが一体に形成されている。また、凹溝２３の上端部には溝幅が他の部分よりも大きくなるように円形状に拡大した溝幅拡大部２３ａが形成され、この溝幅拡大部２３ａ内において引手２４の上端部が凹溝２３内で突出しており、通常時には引手２４は自重により凹溝２３内に収容されて木口面から突出せず、下端部の指フック部２４ａが露出していないが、上端部を押して軸部回りに回動させたときに、下端部が木口面から突出して指フック部２４ａが露出し、図示の如く、この露出した指フック部２４ａに指を掛けて引き操作することで、補助扉１８を引戸本体１０に対し相対的に移動させて補助扉収納部１５から引き出すようになっている。
【００４１】
また、補助扉１８の戸先部には上記引手装置２１よりも下側の位置に、補助扉１８が退出位置（閉じ位置）にあるときに該補助扉１８を移動不能に柱１（建具枠の竪枠）に係合するための係合装置としての鎌錠２７が設けられている。この鎌錠２７は一般に用いられる公知構造のものであり、鎌錠本体２８と受座３６（ストライカ）とからなる。例えば鎌錠本体２８は、図９（ａ）に示すように、補助扉１８の表面から木口面に亘って矩形状に切り欠いた切欠部分にその切欠部分を覆うように配置されて固定された断面Ｌ字状のケース２９を備えている。このケース２９において、補助扉１８の木口側に位置する部分にはボルト出没口３０が形成され、補助扉１８の表面側に位置する部分には略半円形状の凹部３１が形成されている。この凹部３１の内部には凹部３１の半円形状の中心に相当する位置に基部を有する操作レバー部３２（サムターン）が収容され、この操作レバー部３２は、その基部において補助扉１８の表裏方向に延びる軸部（図示せず）により回動可能に支持されている。この操作レバー部３２の軸部は凹部３１の底部を貫通して裏面側に延び、その先端部には先端に係止部３３ａを有する円弧状のボルト３３が直接に又は連動機構（図示せず）を介して駆動連結されている。このボルト３３は、先端の係止部３３ａが上記ボルト出没口３０を通してケース２９外に突出する位置と、ケース２９内に没入する位置との間で移動可能に鎌錠本体２８に支持されており、操作レバー部３２を図９（ａ）で反時計回り方向（上方向）に回動操作したときには、ボルト３３先端の係止部３３ａがボルト出没口３０を通してケース２９内に没入する一方、操作レバー部３２を図９（ａ）で時計回り方向（下方向）に回動操作したときには、同図に示すように、係止部３３ａがボルト出没口３０を通してケース２９外に突出するようにしている。
【００４２】
一方、上記受座３６は、右側の柱１に鎌錠本体２８と対向するように取付固定されている。図９（ｂ）に示すように、この受座３６は上下方向に延びる細長い板状のもので、その上下略中央部には上下方向に細長い矩形状のボルト挿入口３７が貫通形成されている。そして、補助扉１８が退出位置（閉じ位置）にあって、その木口面が右側の柱１に当接ないし近接しているときに、鎌錠本体２８の操作レバー部３２を操作してボルト３３の先端係止部３３ａをボルト出没口３０を通してケース２９外に突出させ、同係止部３３ａを受座３６のボルト挿入口３７から内部に下側に向けて挿入してボルト挿入口３７の下側周縁部に係止させることで、鎌錠本体２８つまり該鎌錠本体２８が固定されている補助扉１８を、受座３６つまり該受座３６が固定されている柱１に固定し、補助扉１８を退出位置（閉じ位置）にロック保持するようにしている。
【００４３】
さらに、上記補助扉１８と引戸本体１０とを一体的に連結する連結装置４０が設けられている。この連結装置４０はフランス落とし４１と、このフランス落とし４１に係合するフランス落とし受け５０（受座）とからなる。フランス落とし４１は、上記引戸本体１０の戸先側木口面において補助扉収納部１５の開口上縁部に取付固定されている。このフランス落とし４１も一般に用いられる公知構造のもので、例えば図８（ａ）及び図８（ｂ）に示すように、垂直部４２ａと、該垂直部４２ａの下端に連続する水平部４２ｂとからなっていてＬ字状に折り曲げられたケース４２を有し、このケース４２は、垂直部４２ａを引戸本体１０の木口面に、また水平部４２ｂを補助扉収納部１５内の上面にそれぞれ位置付けた状態で、その引戸本体１０の木口面から補助扉収納部１５内の上面まで矩形溝状に切り欠いた切欠部分に該切欠部分を覆うように配置されて固定されている。このケース４２において、補助扉収納部１５内に位置する下端の水平部４２ｂにはピン挿通孔４３が貫通形成されている。ケース４２の垂直部４２ａには上下方向に延びる凹溝部４４が形成され、その凹溝部４４の底部には上下方向に延びるスリット４６がケース４２の表裏面を貫通するように形成されている。凹溝部４４の内部には操作スライド部材４５が収容され、この操作スライド部材４５は端部をケース４２裏側に突出させた状態でスリット４６に摺動可能に支持され、この操作スライド部材４５の突出端部にはピン部材４７の上端が移動一体に取付固定されている。ピン部材４７はケース４２の裏側を上下方向に延びるもので、その下端に上記ピン挿通孔４３を貫通する係止ピン部４７ａを有しており、操作スライド部材４５を凹溝部４４内で上下方向にスライド移動させることで、その操作スライド部材４５と一体的なピン部材４７を上下方向に移動させて、その下端の係止ピン部４７ａをピン挿通孔４３を介してケース４２の水平部４２ｂに対し出没させるようにしている。
【００４４】
また、フランス落とし受け５０は、補助扉１８の上面においてその戸先側（右側）及び戸尻側（左側）の２箇所に取付固定されている（図７参照）。この両フランス落とし受け５０，５０はいずれも同じ構造のもので、図８（ｃ）に示すように、中央部にピン係合孔５１が貫通形成された矩形板材からなる。
【００４５】
そして、フランス落とし４１のピン部材４７の係止ピン部４７ａの位置が各フランス落とし受け５０のピン挿通孔５１の真上に一致したときに、操作スライド部材４５を下方向にスライド操作してピン部材４７を下方向に移動させ、その下端の係止ピン部４７ａを各フランス落とし受け５０のピン挿通孔５１に挿入して係合させることにより、補助扉１８を引戸本体１０と一体的に連結するようにしている。また、フランス落とし受け５０を補助扉１８の上面においてその戸先側及び戸尻側の２箇所に設けることにより、補助扉１８が収納位置及び退出位置のいずれにあっても、フランス落とし４１とフランス落とし受け５０，５０との係合によって補助扉１８と引戸本体１０との一体的な連結を行うようになっている。
【００４６】
したがって、上記実施形態においては、補助扉内蔵引戸Ａの補助扉１８は引戸本体１０の補助扉収納部１５内に収納された収納位置と、この補助扉収納部１５内から退出した退出位置との間をスライド移動可能であり、図３及び図４に示すように、連結装置４０のフランス落とし４１と補助扉１８の戸先側のフランス落とし受け５０との係合により補助扉１８が収納位置に保持された状態で引戸本体１０をスライド移動させて、第１及び第２部屋Ｒ１，Ｒ２の境界の開口部Ａ１を開閉すると、その引戸本体１０の移動に追従して補助扉１８も引戸本体１０の移動方向と同じ方向にスライド移動する。このことで、引戸本体１０及び補助扉１８は通常の１枚の引戸にしか見えず、それと同様にスライド移動して開口部Ａ１を開閉する。
【００４７】
一方、引戸本体１０を開いた状態のまま、上記連結装置４０のフランス落とし４１と補助扉１８の戸先側のフランス落とし受け５０との係合を解除して、補助扉１８を引戸本体１０に対し相対的に収納位置から退出位置にスライド移動させると、図５及び図６に示すように、この補助扉１８は開口部Ａ１の下部のみを閉じることとなる。その状態でフランス落とし４１を補助扉１８の戸尻側のフランス落とし受け５０に係合させるか、或いは鎌錠２７を作動させるかすれば、ベビーゲート（チャイルドガード）と同じ機能を得ることができる。このとき、補助扉１８のみが開口部Ａ１の下部を覆い、引戸本体１０は開き位置に保持されるため、閉じた状態の最小限の補助扉１８のみしか露見せず、意匠性が良くなる。
【００４８】
また、上記引戸本体１０は上枠のレールに吊られてスライド移動する一方、補助扉１８はキャスター１９，１９によって床面上をスライド移動するので、引戸本体１０及び補助扉１８の各下部を案内するためのレールを床面に設ける必要がなくなり、意匠性を向上させることができる。
【００４９】
このように補助扉内蔵引戸Ａは、引戸本体１０及び補助扉１８の全体がスライドして開口部Ａ１を開閉する使用態様と、補助扉１８のみがスライドして開口部Ａ１の下部を開閉する使用態様との２つの態様しか取り得ず、引戸本体１０のみが閉じて補助扉１８が開く使用態様がない。そのため、分割ドアの場合のように、不要な上扉部分が邪魔になるような使用態様は生じないとともに、分割ドアのように蝶番によってドア枠に支持する必要がないので、開閉の不具合や隙間の発生等の生じる余地もない。
【００５０】
また、補助扉１８は引戸本体１０下部の補助扉収納部１５内に収納されるので、その補助扉１８を引戸本体１０とは別に壁２，３の間に収納する必要がなく、その壁２，３間には引戸本体１０を収納するための元々の戸袋４さえあればよく、既存の壁構造を利用して施工することができる。
【００５１】
さらに、上記補助扉１８の戸先側木口面に出し入れ可能な引手２４を有する引手装置２１が設けられており、この引手２４は、補助扉１８が収納位置にあるときに補助扉１８の木口面に没入して目立たない。そして、その格納位置にある補助扉１８を引戸本体１０の補助扉収納部１５内から引き出すとき、図７に示すように、木口面の引手２４の上端部を凹溝２３内に押し込んで軸部回りに回動させ、下端部の指フック部２４ａを引手本体２２つまり補助扉１８の木口面から突出させて引き操作することで、補助扉１８を収納位置から引き出して移動させることができる。このように、補助扉１８の戸先側木口面に設けられている出し入れ可能な引手２４を、補助扉１８のみを閉じるという必要なときのみに突出させて引き操作すればよく、補助扉１８の引戸本体１０との一体感が得られる。
【００５２】
また、上記引戸本体１０の戸先側木口面にフランス落とし４１が設けられ、補助扉１８の上面の戸先側及び戸尻側にそれぞれフランス落とし受け５０，５０が設けられているので、補助扉１８が収納位置又は退出位置に位置するときにフランス落とし４１を各フランス落とし受け５０に係合させることで、補助扉１８を引戸本体１０に一体的に固定することができる。
【００５３】
すなわち、上述したように、補助扉１８が引戸本体１０の補助扉収納部１５に収納された収納位置にあるとき、その補助扉１８上面の戸先側にあるフランス落とし受け５０にフランス落とし４１を係合させると、その係合によって補助扉１８が収納位置のままで引戸本体１０に一体的に固定され、引戸本体１０を補助扉１８と共に一体的に開閉することができる。
【００５４】
補助扉１８が引戸本体１０の補助扉収納部１５から退出した退出位置にあるときに、その補助扉１８上面の戸尻側にあるフランス落とし受け５０にフランス落とし４１を係合させると、その係合によって補助扉１８が退出位置つまり開口部Ａ１の下部を閉じたままで引戸本体１０に一体的に固定される。このことによって補助扉１８が閉じ状態のままスライド移動不能となり、ベビーガードとして機能する状態を保持することができる。
【００５５】
しかも、上記補助扉１８の戸先部に柱１（建具枠の竪枠）と係合する鎌錠２７が設けられているので、この鎌錠２７によって退出位置にある補助扉１８の戸先部を柱１に固定することができ、その場合には、上記フランス落とし４１とフランス落とし受け５０との係合に加えて、補助扉１８がベビーガードとして機能する状態を確実に保持することができる。
【００５６】
そして、補助扉１８が退出位置にあって、その補助扉１８上面の戸尻側にあるフランス落とし受け５０にフランス落とし４１を係合させたときには、上記のように、補助扉１８が退出位置つまり開口部Ａ１の下部を閉じたままで引戸本体１０に一体的に固定されるが、その際、フランス落とし４１が引戸本体１０の戸先側木口面に設けられているので、第１部屋Ｒ１にいる例えば子供がフランス落とし４１の操作スライド部材４５を触って押し上げることがあると、そのフランス落とし４１のピン部材４７の係止ピン部がフランス落とし受け５０のピン挿通孔５１から抜け出て係合が解除される虞れがある。しかし、鎌錠２７によって補助扉１８を退出位置にある補助扉１８の戸先部を柱１（建具枠の竪枠）に固定しておけば、上記の如く、仮にフランス落とし４１とフランス落とし受け５０との係合が解除されたとしても、補助扉１８が退出位置から移動して開くことはなく、開口部Ａ１を安定して閉じたままに保つことができる。
【００５７】
そのとき、鎌錠２７（その鎌錠本体２８）と引手装置２１とは補助扉１８の戸先側に集中して設ける必要があるが、鎌錠２７は引手装置２１よりも下側に取り付けられているので、たとえ第１部屋Ｒ１にいる子供が補助扉１８の上側から手を伸ばしても鎌錠２７の操作レバー部３２に届き難くなり、不用意に鎌錠２７が解錠されて補助扉１８が開くことはない。
【００５８】
（実施形態２）
図１０は実施形態２示し（尚、図１〜図９と同じ部分については同じ符号を付してその詳細な説明は省略する）、引戸本体１０における補助扉収納部１５の構造を変えたものである。
【００５９】
すなわち、上記実施形態１では、引戸本体１０の下部の内部に補助扉収納部１５を形成しているのに対し、この実施形態では、引戸本体１０の下部の例えば表側の側部に、その表側側部を段差状に切り欠くことによって空所からなる補助扉収納部１５が設けられ、この補助扉収納部１５に補助扉１８が収納されている。
【００６０】
その他の構造は実施形態１と同様である。よって、この実施形態でも実施形態１と同様の作用効果を奏することができる。
【００６１】
特に、この実施形態の場合、補助扉１８のキャスターを補助扉内蔵引戸Ａ全体のキャスターとして利用できる利点がある。
【００６２】
（その他の実施形態）
尚、上記実施形態では、補助扉１８の上面の戸先側及び戸尻側の双方にフランス落とし受け５０，５０を設けているが、いずれか一方のみにフランス落とし受け５０を設けるようにしてもよい。特に、鎌錠２７がある場合、その鎌錠２７によって補助扉１８が退出位置に固定されるので、フランス落とし受け５０を補助扉１８の戸尻側に設けることは必須ではない。
【００６３】
また、上記実施形態では、補助扉１８と引戸本体１０とを一体的に連結する連結装置４０は、フランス落とし４１及びフランス落とし受け５０としているが、他の構造のものを用いることができる。
【００６４】
さらに、上記実施形態では、退出位置にあるときに補助扉１８を移動不能に柱１に係合する係合装置として鎌錠２７を用いているが、鎌錠２７以外の装置を用いてもよい。
【００６５】
また、上記実施形態では、引戸本体１０を吊戸としているが、下部に取り付けられる戸車がレール上を転動するタイプの引戸としてもよい。
【産業上の利用可能性】
【００６６】
本発明は、引戸本体及び補助扉を通常の１枚の引戸と同様にスライドして開口部を開閉する一方、引戸本体を開き補助扉を退出位置にスライド移動させて開口部の下部のみを閉じ、ベビーゲート（チャイルドガード）と同じ機能を得ることができ、極めて有用で産業上の利用可能性が高い。
【符号の説明】
【００６７】
Ａ  補助扉内蔵引戸
Ｒ１  第１部屋
Ｒ２  第２部屋
Ａ１  開口部
１０  引戸本体
１５  補助扉収納部
１８  補助扉
１９  キャスター
２１  引手装置
２４  引手
２７  鎌錠
２８  鎌錠本体
３６  受座（ストライカ）
４０  連結装置
４１  フランス落とし
４７  ピン部材
５０  フランス落とし受け（受座）
【図１】
2014152555.tif 000003
【図２】
2014152555.tif 000004
【図３】
2014152555.tif 000005
【図４】
2014152555.tif 000006
【図５】
2014152555.tif 000007
【図６】
2014152555.tif 000008
【図７】
2014152555.tif 000009
【図８】
2014152555.tif 000010
【図９】
2014152555.tif 000011
【図１０】
2014152555.tif 000012